(57)【特許請求の範囲】
【請求項１】
絶縁性材料により上面と正面を開口した薄い箱型のコネクタハウジングと、このハウジングの上面から被せられ、上面部、両側面部、後面部を有するカバーと、前記コネクタハウジングの正面に設けたＩＣカード挿入口内に、ＩＣカードの電極に接続されるコンタクトと、ＩＣカードの着脱動作に連動して進退動作をするスライダと、ＩＣカードのプッシュ・インのときに、前記スライダに設けられたロックばねとＩＣカード側面の凹部との係合によるロックを保持し、ＩＣカードのプッシュ・アウトのときに、前記ロックばねとＩＣカード側面の凹部との係合を脱してロックを解除するロック機構部とを具備したＩＣカード用コネクタにおいて、前記ＩＣカード挿入口は、下面に電極を有し、一方の側面にロックのための抜け止め凹部が形成され、かつ、一方の角部に湾曲した誤挿入防止の傾斜面を形成した第１のＩＣカードと、下面に電極を有し、前記第１のＩＣカードより幅がやや広く、長さが短い第２のＩＣカードの２種類のＩＣカードが挿入されるようにＩＣカードの幅と長さの重合部分を共有し、異なる部分を幅方向と厚さ方向に延長して形成し、前記ロックばねは、前記スライダの下面のロックばね取付け凹部に設けられ、このロックばね取付け凹部に設けた垂直な取付け孔に圧入固定する圧入部と、この圧入部から横向きにＵ字形に湾曲して伸び、前記スライダにおけるＩＣカードとの摺動側に突出しないように配置されたばね部と、このばね部の他端部に設けられ、前記スライダにおけるＩＣカードとの摺動側に３角形部分が出没自在の係止突部と、この係止突部と一体に前記スライダの移動方向と略直交する方向であって、前記スライダにおけるＩＣカードとの摺動側と反対側面まで係止突部側からの加圧力によっても変形しないように十分な幅を持って延長したＩＣカードの抜けを防止する抜け防止部とを金属板により一体に形成し、前記ハウジングに、前記ＩＣカードのプッシュ・アウトのときの前記抜け防止部の位置に臨ませて、この抜け防止部の進出を可能にする切り欠き凹部を形成し、前記カバーの側面部に、前記ＩＣカードのプッシュ・インのときの前記抜け防止部の位置に臨ませて、この抜け防止部の進出を遮断する抜け止め片を形成し、前記スライダの前端部に、前記第２のＩＣカード用の係合部を形成し、前記スライダの下面に、ガイドレールを一体に形成し、前記ハウジングのスライダ摺動面に、前記ガイドレールを嵌合して往復動するスライダガイド溝を形成したことを特徴とするＩＣカード用コネクタ。
【発明の詳細な説明】
【０００１】
【発明の属する技術分野】
本発明は、パーソナルコンピュータ、その他の電子機器に外部記憶媒体として用いられるＩＣカードを、プッシュ・イン、プッシュ・アウトで着脱するためのＩＣカード用コネクタに関するもので、挿入後の抜け止め機能と表裏又は前後逆の誤挿入を防止する機能とを併せ持つようにしたＩＣカード用コネクタに関するものである。
【０００２】
【従来の技術】
半導体メモリを内蔵したカード型のメモリ装置、いわゆるＩＣカードと呼ばれる記憶媒体は、コンピュータ本体、ビデオカメラ装置、携帯型情報端末機器等の電子機器の外部記憶装置として、広く用いられている。このＩＣカードは、従来から用いられてきた記憶媒体に比べて、非常に小さな形状をしており、また、記憶容量も大きく、ディジタルカメラや携帯型情報端末機器のデータをコンピュータ本体に移す場合、プリンタに直接データを移して印刷する場合、逆にコンピュータのデータをこれらの電子機器に移す場合などに便利な記憶媒体である。
【０００３】
しかし、現在このＩＣカードは、形状が非常に小さいため、表裏又は前後逆に誤挿入され易く、また、一旦挿入された後でむりやり抜いてしまう恐れがあるので、逆挿入防止機能と挿入後の抜け止め機能を有している。
例えば、図１１に示すＩＣカード３１は、長さ５０．０ｍｍ、幅２１．５ｍｍ、厚さ２．８ｍｍの細長で、先端に１０個の電極２４を有し、一方の側面にロックのための抜け止め凹部５９が形成され、かつ、一方の角部に湾曲した誤挿入防止の傾斜面３２と誤挿入防止溝４２が形成されている。
【０００４】
従来、このようなＩＣカード３１のロックのために、挿入路の側面に、板ばねを一部Ｃ字状に折り曲げたロック用ばねが配置されていた。そして、正常な状態にＩＣカード３１を挿入したときは、誤挿入防止の傾斜面３２で徐々にロック用ばねのＣ字状に折り曲げた突起部分を押し込み、抜け止め凹部５９の位置まで押し込むと、ロック用ばねがこの抜け止め凹部５９に嵌合してホールドするようになっていた。
【０００５】
【発明が解決しようとする課題】
従来のような板ばねを一部Ｃ字状に折り曲げたロック用ばねでは、一旦ロックした後で、ＩＣカード３１を引き抜こうとすると、変形し易く、抜け防止対策としては強度不足であるという問題があった。
また、表裏又は前後逆に誤挿入したような場合、板ばねを折り曲げたロック用ばねでは、ＩＣカード３１の傾斜面のない角部で強く押し込むと、変形し易く、やはり、抜け防止対策としては強度不足であるという問題があった。
【０００６】
本発明は、上記問題点に鑑みなされたもので、ロック用ばねの構造が簡単で、かつ、強度を高めることにより、より確実に挿入後の抜け止めと表裏又は前後逆の誤挿入防止の機能を発揮するＩＣカード用コネクタを提供することを目的とするものである。
【０００７】
【課題を解決するための手段】
本発明は、絶縁性材料により上面と正面を開口した薄い箱型のコネクタハウジングと、このハウジングの上面から被せられ、上面部、両側面部、後面部を有するカバーと、前記コネクタハウジングの正面に設けたＩＣカード挿入口内に、ＩＣカードの電極に接続されるコンタクトと、ＩＣカードの着脱動作に連動して進退動作をするスライダと、ＩＣカードのプッシュ・インのときに、前記スライダに設けられたロックばねとＩＣカード側面の凹部との係合によるロックを保持し、ＩＣカードのプッシュ・アウトのときに、前記ロックばねとＩＣカード側面の凹部との係合を脱してロックを解除するロック機構部とを具備したＩＣカード用コネクタにおいて、前記ＩＣカード挿入口は、下面に電極を有し、一方の側面にロックのための抜け止め凹部が形成され、かつ、一方の角部に湾曲した誤挿入防止の傾斜面を形成した第１のＩＣカードと、下面に電極を有し、前記第１のＩＣカードより幅がやや広く、長さが短い第２のＩＣカードの２種類のＩＣカードが挿入されるようにＩＣカードの幅と長さの重合部分を共有し、異なる部分を幅方向と厚さ方向に延長して形成し、前記ロックばねは、前記スライダの下面のロックばね取付け凹部に設けられ、このロックばね取付け凹部に設けた垂直な取付け孔に圧入固定する圧入部と、この圧入部から横向きにＵ字形に湾曲して伸び、前記スライダにおけるＩＣカードとの摺動側に突出しないように配置されたばね部と、このばね部の他端部に設けられ、前記スライダにおけるＩＣカードとの摺動側に３角形部分が出没自在の係止突部と、この係止突部と一体に前記スライダの移動方向と略直交する方向であって、前記スライダにおけるＩＣカードとの摺動側と反対側面まで係止突部側からの加圧力によっても変形しないように十分な幅を持って延長したＩＣカードの抜けを防止する抜け防止部とを金属板により一体に形成し、前記ハウジングに、前記ＩＣカードのプッシュ・アウトのときの前記抜け防止部の位置に臨ませて、この抜け防止部の進出を可能にする切り欠き凹部を形成し、前記カバーの側面部に、前記ＩＣカードのプッシュ・インのときの前記抜け防止部の位置に臨ませて、この抜け防止部の進出を遮断する抜け止め片を形成し、前記スライダの前端部に、前記第２のＩＣカード用の係合部を形成し、前記スライダの下面に、ガイドレールを一体に形成し、前記ハウジングのスライダ摺動面に、前記ガイドレールを嵌合して往復動するスライダガイド溝を形成したことを特徴とするＩＣカード用コネクタである。
【０００８】
以上のような構成において、ＩＣカード３１を挿入口５に挿入する。
ＩＣカード３１を正常に挿入したときは、傾斜面３２がロックばね４７の係止突部５０に接触し、押し込まれて反対側の抜け防止部５１が他側面の切り欠き凹部１４へ突出する。ＩＣカード３１をさらに押し込むと、ＩＣカード３１の凹部５９に前記係止突部５０が嵌合し、抜け防止部５１が元に戻る。
この状態でＩＣカード３１を押し込むと、スライダ３も一体に押し込まれる。このとき、抜け防止部５１が元に戻っているので、ハウジング１の内側壁に沿って移動する。そして、ロック機構部３３により安定した状態で停止し、電極２４がコンタクト７に接触する。
【０００９】
ＩＣカード３１を引き抜こうとすると、係止突部５０が押し込まれようとするが、抜け防止部５１が抜け止め片５８により邪魔されており、押し込むことができず、ＩＣカード３１を引き抜くことができない。このとき、ロックばね４７の３角形の係止突部５０と他端側の抜け防止部５１との間は、十分な一定の幅を持って形成されているので、力が加わっても変形することがない。
【００１０】
ＩＣカード３１を誤って表裏（又は前後）逆に差し込んだ場合には、抜け防止部５１が他側面から突出し、そのままさらに押し込もうとすると、抜け防止部５１が切り欠き凹部１４の端面に接触してＩＣカード３１とスライダ３の移動を禁止する。
【００１１】
【発明の実施の形態】
本発明によるＩＣカード用コネクタの第１実施例の形態を図１〜図７に基づき説明する。
本発明のＩＣカード用コネクタは、図２（ａ）に示す薄い箱型のハウジング１と、図２（ｂ）に示す金属板を折り曲げ形成したカバー２と、これらのハウジング１とカバー２との内部に収納される図３に示すスライダ３とを主たる部品として構成されている。
【００１２】
前記ハウジング１は、絶縁性の材料、例えばＬＣＰなどで幅３３．６ｍｍ×奥行き４５．６ｍｍ×高さ４．４ｍｍ程度の薄い箱型に形成され、正面には、図１１に示した前記ＩＣカード３１が挿入されるＩＣカード用挿入口５と、それよりもやや幅が広いが、長さの短い他のＩＣカード（図示せず）のためのＩＣカード用挿入口４とが、ＩＣカードの形状の違いに合わせて形成されている。これらのＩＣカード用挿入口４、５は、ＩＣカードの幅と厚さの重合部分を共有し、異なる部分を幅方向と厚さ方向に延長して形成するとともに、案内段差部１２が設けられている。さらに、前記ハウジング１の左右外側面と後外側面に、前記カバー２を被せたときの係止突部２０が一体に形成されている。
【００１３】
これらの挿入口４、５の内部の奥行き中間位置には、図示しないＩＣカード用のりん青銅からなるコンタクト６が設けられ、このコンタクト６の先端のへ字状に湾曲した接触部分が、ハウジング１の底面１７の略中央から奥行き方向に斜めに突出して、前記ＩＣカード３１の挿入を妨げない高さに形成されている。このコンタクト６の基端部のピン端子９は、ハウジング１の正面側下面に臨ませられ、プリント基板等に接続される。
【００１４】
このコンタクト６のさらに奥には、りん青銅からなるＩＣカード用コンタクト７が、ハウジング１の後端から挿入側に向けて形成されている。このコンタクト７は、コンタクト６よりも若干高い位置に形成してある。このコンタクト７の後端部のピン端子１０は、ハウジング１の後端部からやや突出し、プリント基板等に接続される。また、前記挿入口５の内部であって、コンタクト７の両側に位置してＩＣカード３１の挿入を案内する案内部１３が、挿入手前側から奥に向かって上方に傾斜させて形成されている。
【００１５】
前記カバー２は、上面部５２から左右側と前後側とにそれぞれ左側面部５３、右側面部５４、後面部５５、前面部５６を垂直に折り曲げて形成し、これらのうち、左側面部５３、右側面部５４、後面部５５には、それぞれ前記ハウジング１の係止突部２０に係合する嵌め込み穴５７が形成されている。また、このカバー２には、前記ハウジングの左側面の切り欠き凹部１４に望ませた位置であって、やや内側に食い込んだ位置に抜け止め片５８が垂直に折り曲げ形成されるとともに、前記上面部５２の一部を切り起こして外れ防止ばね部３７が形成されている。
【００１６】
前記スライダ３は、前記ハウジング１の左奥のスライダ摺動面８の上に載せられる。
このスライダ３は、図３（ａ）の上面から見た斜視図と図３（ｂ）の底面から見た斜視図に示すように、前記挿入口４、５に臨ませた前端部には、図示しないＩＣカード用の係合部３８が形成され、また、後述するロック機構部３３のためのロックピン受け孔４４が形成され、後端部には、復帰ばね受け凹部４３が形成されている。また、一側面から後端部にかけて湾曲した前記ＩＣカード用の係合部３９と誤挿入防止突起４０が一体に形成され、他側面のやや内側には、ロックばね取付け孔６０が形成されている。底面には、ロックばね取付け凹部４１が両側面に連通して形成され、さらに、３箇所にガイドレール４５が一体に形成され、スライダ摺動面８のスライダガイド溝１１に嵌合して往復動するようになっている。
【００１７】
前記ロックばね４７は、金属板をプレス加工で打ち抜き、折曲形成したもので、圧入固定する圧入部４８とＵ字形に湾曲したばね部４９と３角形に突出した係止突部５０と他端側の抜け防止部５１との各部を有する。特に、３角形の係止突部５０と他端側の抜け防止部５１との間は、力が加わっても変形しないように十分な一定の幅を持って形成され、ばね部４９は、単に復帰用として作用し、ＩＣカード３１の着脱時に直接接触しないように構成されている。そして、このロックばね４７を、スライダ３の底面におけるロックばね取付け凹部４１に嵌め込むようにして、圧入部４８を前記ロックばね取付け孔６０に圧入固定すると、係止突部５０がスライダ３の一側面側にやや突出し、抜け防止部５１が他側面と略同じ面となるように組み込まれる。
【００１８】
つぎに、前記ロック機構部３３を図４、図５及び図６に基づき説明する。
このロック機構部３３は、前記スライダ摺動面８に連続する一端部に形成されており、ハートカム３４とその周りのガイド溝３６とこのガイド溝３６を移動するロックピン３５とで構成されている。前記ガイド溝３６は、図面上、直線として示した図６のように傾斜面と段部を持って構成され、スライダ３の往復動により、このスライダ３のロックピン受け孔４４に嵌合したロックピン３５の他端部がガイド溝３６の各点Ａ、Ｂ、Ｃ、Ｄ、Ａ…点の方向で間欠的に停止しながら図４の矢印のように左回りに一周して移動する。このロックピン３５が移動時にスライド溝３６から抜け出ることのないように、カバー２の一部を舌片状に下向きに切り起こした外れ防止ばね部３７にてロックピン３５を上から付勢している。
【００１９】
図１及び図２において、左側の１５と、右側の１６は、図示しないＩＣカード用の挿入終了判別端子で、りん青銅などの弾性と導電性を持った素材で形成し、この挿入終了判別端子１５、１６の先端部は、前記挿入口４の側部に臨ませられ、図示しないＩＣカードの挿脱により接離して、読込み、書込み等の動作を制御する。
【００２０】
次に本発明の第１実施例におけるＩＣカード３１の着脱動作について説明する。
ＩＣカード３１は、図１（ａ）（ｂ）（ｃ）及び図２（ａ）に示すＩＣカード用挿入口５に、電極２４が下を向く状態で挿入する。ＩＣカード３１は、他の挿入口４に嵌合することなく、挿入口５に誘導されて挿入される。このとき、スライダ３は、復帰ばね４６により押し出されており、ロックピン３５は、ガイド溝３６のＡ点にある。
【００２１】
ＩＣカード３１は、挿入を続けると、先端部分がコンタクト６に軽く接触しながらさらに奥へ押し込まれ傾斜面３２がスライダ３の側面に沿って移動し、このスライダ３に設けられたロックばね４７の係止突部５０に接触する。この係止突部５０は、ばね部４９に抗して押し込まれて反対側の抜け防止部５１が他側面から突出する。ＩＣカード３１の先端部が図７（ａ）における２点鎖線のように、ＩＣカード用係合部３９に接するとともに、ＩＣカード用誤挿入防止突起４０と誤挿入防止溝４２とが係合するまでさらに押し込むと、ロックばね４７が復帰してＩＣカード３１の側面の凹部５９に前記係止突部５０が嵌合し、反対側の抜け防止部５１が元に戻る。
【００２２】
この状態でＩＣカード３１を押し込むと、スライダ３もばね４６に抗して一体に押し込まれる。このとき、抜け防止部５１が元に戻っているので、抜け止め片５８で邪魔されることなく移動する。そして、ロックピン３５は、ガイド溝３６のＡ点からＢ点まで移動し、このＢ点からばね４６によりハートカム３４のガイド溝３６に沿ってＣ点にやや戻されて安定した状態で停止し、図１（ｂ）に示すように、その電極２４がコンタクト７に接触する。
【００２３】
ＩＣカード３１を奥まで差し込んだ状態で、ＩＣカード３１を引き抜こうとすると、ＩＣカード３１の側面の凹部５９に嵌合している係止突部５０が押し込まれようとするが、反対側の抜け防止部５１が抜け止め片５８により邪魔されており、押し込むことができず、ＩＣカード３１を引き抜くことができない。このとき、ロックばね４７の３角形の係止突部５０と他端側の抜け防止部５１との間は、十分な一定の幅を持って形成されているので、力が加わっても変形することがない。
ＩＣカード３１を抜くためには、もう一度、ＩＣカード３１をばね４６に抗して押し込むと、ロックピン３５は、ガイド溝３６のＣ点からＤ点まで移動し、このＤ点からばね４６によりさらにＡ点に戻されて安定した状態で停止し、ＩＣカード３１は、図７（ａ）の実線に示すような元の位置に戻り、電極２４がコンタクト７から離れる。この状態からＩＣカード３１を引き抜くと、ロックばね４７の係止突部５０がばね部４９に抗して押し込まれて反対側の抜け防止部５１が他側面から突出し、容易に引き抜かれる。
【００２４】
ＩＣカード３１を誤って表裏（又は前後）逆に差し込んだ場合には、図７（ｂ）に示すように、直角な先端部がロックばね４７の係止突部５０をばね部４９に抗して押し込み、反対側の抜け防止部５１が他側面から突出する。そのままＩＣカード誤挿入防止突起４０に接触させてさらに押し込もうとすると、抜け防止部５１が抜け止め片５８の端面に接触してＩＣカード３１とスライダ３の移動を禁止する。
【００２５】
つぎに、本発明の第２実施例を図８、図９及び図１０に基づき説明する。
第１実施例と基本的に同一であるが、異なる点は、以下の通りである。
（１）第１実施例では、ＩＣカード３１のみならず、他の形状のＩＣカードにも対応できるようになっているが、第２実施例では、ＩＣカード３１のみに対応するように構成されている。
（２）第１実施例では、ＩＣカード３１の電極２４を下面にして挿入するようになっているが、第２実施例では、ＩＣカード３１の電極２４を上面にして挿入するように構成されている。これに伴い、スライダ３とロック機構部３３の位置がハウジング１の右側に構成されている。
（３）第１実施例では、切り欠き凹部１４をやや長めに形成し、この切り欠き凹部１４の約半分の長さの抜け止め片５８をカバー２の折り返しで構成されているが、第２実施例では、切り欠き凹部１４を短めに形成し、抜け止め片５８をハウジング１の内側壁の一部分を持って構成されている。
（４）第２実施例でＩＣカード３１の電極２４を上面にして挿入するように構成されていることに伴い、凹部５９を形成している部分の厚さ分だけロックばね４７を浮かせる必要があり、そのため、スライド摺動面８の一部にスライダ受け台６３が設けられている。
（５）第１実施例では、ロックピン３５を付勢するカバー２の外れ防止ばね部３７がロック機構部３３側から切り起こされているが、第２実施例では、カバー２の外れ防止ばね部３７がスライダ３側から切り起こされているので、スライダ３の上面に、ばね受け溝６２が形成されている。
以上の相違点以外は、第１実施例と第２実施例とで変わるところはない。
【００２６】
以上のような構成におけるＩＣカード３１の着脱動作について説明する。
図１０（ａ）において、ＩＣカード３１を挿入口５に、電極２４が上向きに挿入する。このとき、スライダ３は、復帰ばね４６により押し出されており、ロックピン３５は、ガイド溝３６のＡ点（以下、図４と同じ）にある。
【００２７】
ＩＣカード３１を挿入し続けると、傾斜面３２がスライダ３の側面に沿って移動し、ロックばね４７の係止突部５０に接触する。この係止突部５０は、ばね部４９に抗して押し込まれて反対側の抜け防止部５１が他側面の切り欠き凹部１４へ突出する。ＩＣカード３１の先端部が図１０（ａ）における２点鎖線のように、ＩＣカード用係合部３９に接するとともに、ＩＣカード用誤挿入防止突起４０と誤挿入防止溝４２とが係合するまでさらに押し込むと、ロックばね４７が復帰してＩＣカード３１の凹部５９に前記係止突部５０が嵌合し、反対側の抜け防止部５１が元に戻る。
【００２８】
この状態でＩＣカード３１を押し込むと、スライダ３もばね４６に抗して一体に押し込まれる。このとき、抜け防止部５１が元に戻っているので、ハウジング１の内側壁に沿って移動する。そして、ロックピン３５は、ガイド溝３６のＡ点からＢ点まで移動し、このＢ点からばね４６によりハートカム３４のガイド溝３６に沿ってＣ点にやや戻されて安定した状態で停止し、電極２４がコンタクト７に接触する。
【００２９】
ＩＣカード３１を奥まで差し込んだ状態で、ＩＣカード３１を引き抜こうとすると、ＩＣカード３１の側面の凹部５９に嵌合している係止突部５０が押し込まれようとするが、反対側の抜け防止部５１がハウジング１の内側壁により邪魔されており、押し込むことができず、ＩＣカード３１を引き抜くことができない。このとき、ロックばね４７の３角形の係止突部５０と他端側の抜け防止部５１との間は、十分な一定の幅を持って形成されているので、力が加わっても変形することがない。
ＩＣカード３１を抜くためには、もう一度、ＩＣカード３１をばね４６に抗して押し込むと、ロックピン３５は、ガイド溝３６のＣ点からＤ点まで移動し、このＤ点からばね４６によりさらにＡ点に戻されて安定した状態で停止し、ＩＣカード３１は、元の位置に戻り、電極２４がコンタクト７から離れ、抜き取られる。
【００３０】
ＩＣカード３１を誤って表裏（又は前後）逆に差し込んだ場合には、図１０（ｂ）に示すように、直角な先端部がロックばね４７の係止突部５０をばね部４９に抗して押し込み、反対側の抜け防止部５１が他側面から突出する。そのままＩＣカード誤挿入防止突起４０に接触させてさらに押し込もうとすると、抜け防止部５１が切り欠き凹部１４の端面に接触してＩＣカード３１とスライダ３の移動を禁止する。
【００３１】
【発明の効果】
請求項１記載の発明によれば、ロック用ばねの構造が簡単で、かつ、強度が高く、より確実に挿入後の抜け止めと表裏又は前後逆の誤挿入防止の機能を発揮することができる。また、ロックばねは、係止突部側からの加圧力によっても変形しないように十分な幅を持って形成されている。さらに、ロックばねの抜け防止部が切り欠き凹部と抜け止め片で進退したり、係脱したりする動作が確実に行われる。さらにまた、ロックばねのばね部は、圧入部から横向きにＵ字形に湾曲して伸び、前記スライダにおけるＩＣカードとの摺動側に突出しないように配置され、復帰用として作用するだけとしている。
ちなみに、ロックばねの本実施品は、長さが約８ｍｍである。このような小さなばね部品であるため、Ｕ字形に湾曲したものを採用することで、このばね部には、単に復帰用として作用させ、ＩＣカードの着脱時に直接接触しないように構成されている。
ＩＣカード挿入口は、下面に電極を有し、一方の側面にロックのための抜け止め凹部が形成され、かつ、一方の角部に湾曲した誤挿入防止の傾斜面を形成した第１のＩＣカードと、下面に電極を有し、前記第１のＩＣカードより幅がやや広く、長さが短い第２のＩＣカードの２種類のＩＣカードに使用することができる。
スライダの下面に、ガイドレールを一体に形成し、ハウジングのスライダ摺動面に、スライダガイド溝を形成したので、このスライダガイド溝にガイドレールを嵌合して円滑に往復動することができる。
【図面の簡単な説明】
【図１】本発明によるＩＣカード用コネクタの第１実施例を示すもので、（ａ）は、（ｃ）におけるＢ−Ｂ線断面図、（ｂ）は、（ａ）におけるＡ−Ａ線断面図、（ｃ）は、正面図である。
【図２】図１のＩＣカード用コネクタを分解したもので、（ａ）は、ハウジングの斜視図、（ｂ）は、カバーの斜視図である。
【図３】図１のＩＣカード用コネクタにおけるスライダとロックばねの分解図で、（ａ）は、上面からみた斜視図、（ｂ）は、底面からみた斜視図である。
【図４】図１のＩＣカード用コネクタにおけるロック機構部とスライダの拡大平面図である。
【図５】図４のＩＣカード用コネクタのＣ−Ｃ線断面図である。
【図６】図４のＩＣカード用コネクタにおけるガイド溝を直線的に置き換えたときの断面図である。
【図７】図１のＩＣカード用コネクタにＩＣカードを挿入したときの要部の断面図で、（ａ）は、正常に挿入したときの図、（ｂ）は、表裏反転して誤挿入したときの図である。
【図８】本発明によるＩＣカード用コネクタの第２実施例の分解したもので、（ａ）は、ハウジングの斜視図、（ｂ）は、カバーの斜視図である。
【図９】図８のＩＣカード用コネクタにおけるスライダとロックばねの分解図で、（ａ）は、上面からみた斜視図、（ｂ）は、底面からみた斜視図である。
【図１０】図８のＩＣカード用コネクタにＩＣカードを挿入したときの要部の断面図で、（ａ）は、正常に挿入したときの図、（ｂ）は、表裏反転して誤挿入したときの図である。
【図１１】（ａ）（ｂ）（ｃ）（ｄ）（ｅ）は、それぞれＩＣカードの正面図、平面図、一部切欠いた左側面図、右側面図である。
【符号の説明】
１…ハウジング、２…カバー、３…スライダ、４…挿入口、５…挿入口、６…コンタクト、７…コンタクト、８…スライダ摺動面、９…ピン端子、１０…ピン端子、１１…スライダガイド溝、１２…案内段差部、１３…案内部、１４…切り欠き凹部、１５…挿入終了判別端子、１６…挿入終了判別端子、１７…底面、１８…凸部、１９…復帰ばね受け凹部、２０…係止突部、２４…電極、２６…スライダストッパ部、３１…ＩＣカード、３２…傾斜面、３３…ロック機構部、３４…ハートカム、３５…ロックピン、３６…ガイド溝、３７…外れ防止ばね部、３８…係合部、３９…係合部、４０…誤挿入防止突起、４１…ロックばね取付け凹部、４２…誤挿入防止溝、４３…復帰ばね受け凹部、４４…ロックピン受け孔、４５…ガイドレール、４６…復帰ばね、４７…ロックばね、４８…圧入部、４９…ばね部、５０…係止突部、５１…抜け防止部、５２…上面部、５３…左側面部、５４…右側面部、５５…後面部、５６…前面部、５７…はめ込み孔、５８…抜け止め片、５９…凹部、６０…ロックばね取付け孔、６１…誤挿入防止段部、６２…ばね受け溝、６３…スライダ受け台。
【図１】
0003798335.tif 000002
【図２】
0003798335.tif 000003
【図３】
0003798335.tif 000004
【図４】
0003798335.tif 000005
【図５】
0003798335.tif 000006
【図６】
0003798335.tif 000007
【図７】
0003798335.tif 000008
【図８】
0003798335.tif 000009
【図９】
0003798335.tif 000010
【図１０】
0003798335.tif 000011
【図１１】
0003798335.tif 000012